(57)【要約】【課題】手の力が弱くても飲食容器を容易にかつ自在に支持して操作する。【解決手段】飲食容器保持具２は、飲食容器Ｃを載せて保持する容器保持部３と、この容器保持部３の外周に上下方向に沿って形成され、親指を除く左右いずれかの指を容器保持部３の外面に沿って差し入れ可能な差し入れ孔５を備えた差し入れ部４とを合成樹脂により一体に形成して構成される。容器保持部３は、飲食容器Ｃの本体湾曲部Ｃ１の形状にほぼ合致する湾曲部６と、飲食容器Ｃの底部Ｃ２の形状にほぼ合致する底保持部７とを備え、底保持部７には、ねじ穴部９が設けられる。このねじ穴部９には、調整ねじ１０を螺合し、飲食容器Ｃの底部Ｃ２の径に応じてにねじ先端１０Ａを内側に突出させ、飲食容器Ｃを保持するようにしている。容器保持部３には、空隙部６Ａ、８が形成される。【選択図】図２
2006055229.tif 000002
【特許請求の範囲】
【請求項１】
飲食容器を載せて保持する容器保持部と、この容器保持部の外側に形成され、指を容器保持部の外面に沿って差し入れ可能な差し入れ孔を備えた差し入れ部とを合成樹脂により一体に形成したことを特徴とする飲食容器保持具。
【請求項２】
容器保持部は、飲食容器の本体湾曲部の形状にほぼ合致する湾曲部と、飲食容器の底部の形状にほぼ合致する底保持部とを備え、底保持部には、ねじ穴部を径方向に設けるとともに、このねじ穴部に螺装されるねじを取り付け、飲食容器の底部の径に応じてにねじ先端を内側に突出させ、飲食容器を保持することを特徴とする請求項１に記載の飲食容器保持具。
【請求項３】
容器保持部には、空隙部を形成したことを特徴とする請求項１または２に記載の飲食容器保持具。
【発明の詳細な説明】
【技術分野】
【０００１】
本発明は、飲食容器保持具に関し、特に、病弱者や手に機能障害を持つ障害者の補助に供される飲食容器保持具に関するものである。
【背景技術】
【０００２】
従来、飲食容器保持具として知られているものには、矩形の板状本体に、コップや皿をを保持する円孔を形成し、さらに、この板状本体に親指を挿通して板状本体を支持する支持用孔が形成されたものが知られている（特許文献１参照）。この特許文献１に記載のものは、板状本体の底面に人差し指を引っかけて板状本体の支持を補助する支持補助用突起部が設けられるとともに、板状本体の左下端部近傍に手を挿通する環状部材が設けられている。上記従来の飲食容器保持具では、まず、手を環状部材に通し、次に、下方から左手の親指を支持用孔に挿入して、この親指で板状本体上面を押さえて手で持つようにしている。さらに、左手の人差し指を支持補助用突起部に引っかけることにより板状本体の支持が安定するようになっている。
【特許文献１】特開２０００−１５７４０３号公報（第２、３頁、図１、図４）
【発明の開示】
【発明が解決しようとする課題】
【０００３】
しかしながら、上記従来の飲食容器保持具では、手で支持する部位とコップや皿を保持する円孔との距離が離れており、板状本体にコップや皿を載せて保持するには、健常者であっても常に強い力で支える必要がある。このため、力の弱い病弱者や手に機能障害を持つ障害者の補助に用いるには、使いにくいという問題がある。
【０００４】
本発明は、上記課題を解決するためになされたもので、簡素な構成でしかもたとえ力が弱くても飲食容器を自在に支持することができる飲食容器保持具を提供することを目的とするものである。
【課題を解決するための手段】
【０００５】
本発明に係る飲食容器保持具は、飲食容器を載せて保持する容器保持部と、この容器保持部の外側に形成され、指を容器保持部の外面に沿って差し入れ可能な差し入れ孔を備えた差し入れ部とを合成樹脂により一体に形成したものである。
【０００６】
本発明に係る飲食容器保持具では、飲食容器を載せて保持する容器保持部と、この容器保持部の外側に形成され、指を容器保持部の外面に沿って差し入れ可能な差し入れ孔を備えた差し入れ部とを合成樹脂により一体に形成したことにより、差し入れ部の差し入れ孔に指を差し入れると、指は容器保持部の外面に沿って差し入れられるので、手を運動機能上自然な状態で使うことができ、しかも、手を飲食容器に密接させて使用することができる。このため、利用者の手の力が弱くても、確実に飲食容器を保持することができ、容易に操作することができる。
【０００７】
また、請求項２に係る飲食容器保持具は、容器保持部は、飲食容器の本体湾曲部の形状にほぼ合致する湾曲部と、飲食容器の底部の形状にほぼ合致する底保持部とを備え、底保持部には、ねじ穴部を径方向に設けるとともに、このねじ穴部に螺装されるねじを取り付け、飲食容器の底部の径に応じてにねじ先端を内側に突出させ、飲食容器を保持するようにしたものである。
【０００８】
請求項２に係る飲食容器保持具では、容器保持部は、飲食容器の本体湾曲部の形状にほぼ合致する湾曲部と、飲食容器の底部の形状にほぼ合致する底保持部とを備え、底保持部には、ねじ穴部を径方向に設けるとともに、このねじ穴部に螺装されるねじを取り付け、飲食容器の底部の径に応じてにねじ先端を内側に突出させ、飲食容器を保持するようにしたことにより、異なる種類の飲食容器であっても、ねじを調整するだけで保持することができ、汎用性が向上する。
【０００９】
さらに、請求項３に係る飲食容器保持具は、容器保持部には、空隙部を形成したものである。
【００１０】
請求項３に係る飲食容器保持具では、容器保持部には、空隙部を形成したことにより、軽量化を図ることができ、操作しやすくなる。
【発明の効果】
【００１１】
本発明に係る飲食容器保持具は、飲食容器を載せて保持する容器保持部と、この容器保持部の外側に形成され、指を容器保持部の外面に沿って差し入れ可能な差し入れ孔を備えた差し入れ部とを合成樹脂により一体に形成したので、手を運動機能上自然な状態で使うことができ操作し易くなる。また、手を飲食容器に密接させて使用することができるので、たとえ利用者の手の力が弱くても、確実に飲食容器を保持することができ、容易に操作することができる。
【発明を実施するための最良の形態】
【００１２】
小さい力で操作しやすい飲食容器保持具を得るという目的を、飲食容器を載せて保持する容器保持部と、この容器保持部の外側に形成され、指を容器保持部の外面に沿って差し入れ可能な差し入れ孔を備えた差し入れ部とを合成樹脂により一体に形成した構成とすることにより実現した。
【実施例１】
【００１３】
以下、図面に示す実施の形態により本発明を説明する。図１および図２はそれぞれ本発明の一実施例に係る飲食容器保持具を示す平面図および図１のII-II線縦断面図である。本実施の形態に係る飲食容器保持具２は、図１に示すように、茶碗などの飲食容器Ｃを載置して保持する容器保持部３と、この容器保持部３の外周部に上下方向に形成され、右手又は左手の人差し指、中指、薬指および小指を出し入れすることができる差し入れ孔５を備えた差し入れ部４とを備えている。これら容器保持部３と差し入れ部４は、型により耐熱合成樹脂を一体に射出成形して形成される。
【００１４】
容器保持部３は、飲食容器Ｃの本体湾曲部Ｃ１の形状にほぼ合致する湾曲部６と、飲食容器Ｃの底部Ｃ２の形状にほぼ合致する底保持部７とを備えている。湾曲部６には、重量を軽くするため、周方向に沿って内外を貫通する空隙部６Ａが形成される。底保持部７は、湾曲部６から連続する筒部７Ａと、この筒部７Ａから連続する平坦な底部７Ｂとからなっている。底部７Ｂの中心には円孔７Ｃが内外を貫通して形成される。湾曲部６の高さ寸法はほぼ３cm前後とし、飲食容器Ｃの上縁Ｃ３が湾曲部６の上端縁６Ｂから上方に位置するようになっている。筒部７Ａには、重量を軽くするため、周方向に沿って内外を貫通する円形状の空隙部８が多数形成される。また、筒部７Ａには、周方向等間隔にねじ穴部９が３箇所形成される。ねじ穴部９は径方向に形成される。調整ねじ（ねじ）１０が外側からこのねじ穴部９に螺合されると、ねじ先端１０Ａが筒部７Ａの内側に突出されるようになっている。突出量はねじ回し回数に応じて自在に調整できるようになっており、底部の径が筒部７の内径より小さい種類の異なる飲食容器であっても、調整ねじ１０により保持することができるようになっている。
【００１５】
差し入れ部４は、図３に示すように、中心部４Ａが肉厚に形成され、両側にゆくに従って徐々に薄肉に形成されている。本実施例に係る飲食容器保持具２では、この差し入れ部４の幅寸法は１８mm、湾曲部６の開口部の径は１０８mm、湾曲部６および筒部７Ａの肉厚は３mm、筒部７の内径は６５．５mm、底部７Ｂの肉厚は２mm、円孔７Ｃの径は３５mm、湾曲部６の高さを３１mm、筒部７Ａの高さを２２mmとして形成しているが、これに限られるものでないことは言うまでもない。
【００１６】
次に、上記実施例に係る飲食容器保持具の作用について説明する。この実施例に係る飲食容器保持具２は、使用する際、飲食容器（例えば茶碗）Ｃを容器保持部３に載せ、指を差し入れ部４に差し入れるか、または、この順序を逆にして使用する。飲食食器は容器保持部３に載置されると、湾曲部６により飲食容器本体湾曲部Ｃ１を、底保持部７により飲食容器底部Ｃ２をそれぞれ支持するようになっている。これら湾曲部６と底保持部７とはそれぞれ飲食容器本体湾曲部Ｃ１と飲食容器底部Ｃ２とにほぼ合致して形成されているので、確実に保持される。また、差し入れ部４は、容器保持部３の外周部に上下方向に沿って形成されているので、手を無理な姿勢をとることなく、運動機能上自然な状態で使うことができる。このため、操作し易い。また、右手又は左手の親指を除く指、すなわち、人差し指、中指、薬指および小指をともに差し入れて使用するようにしているので、親指に力を入れる必要がなく、親指を除く４本の指を一緒に動かすだけで操作することができるので、指を曲げないで平手の状態で操作することができ、たとえ、握力が衰えたり、指の力の弱い利用者でも容易に操作することができる。また、底部の径が筒部７の内径より小さい種類の飲食容器であっても、調整ねじ１０により飲食容器底部をしっかりと保持することができるので、多種の飲食容器に適用することができ、汎用性が向上する。さらに、指が直接飲食容器Ｃに触れることがないので、飲食容器Ｃが熱かったり冷たかったりしてもその影響を受けることがない。また、飲食容器保持具２は、耐熱合成樹脂で成型され、しかも空隙部６Ａ、８が設けられているため、軽量化することができ、力の弱い利用者でも扱いやすい。さらに、右手、左手どちらであっても利用することができ、しかも、左右一方の手の指を差し入れ部４に差し入れた状態で、他方の手を自由に使って飲食容器保持具２に飲食容器Ｃを出し入れすることができる。
また、筒部７Ａの径や高さを大きくとっているので、飲食容器Ｃを安定させることができる。飲食容器Ｃと飲食容器保持具２とを別体としているので、洗浄も容易になり衛生上有利である。合成樹脂で形成しているため、外面側を意匠面として利用することが容易にできる。健常者であっても飲食容器Ｃが熱かったり冷たかったりする場合、利用することができる。
【００１７】
なお、上記実施例では、容器保持部３を茶碗の形状に合わせて形成しているがこれに限られるものではなく、丼碗、湯飲み、コーヒーカップ、ティーカップ、お皿等の種別毎にそれぞれの形状に合致させて形成するようにしてもよいことはいうまでもない。
【図面の簡単な説明】
【００１８】
【図１】本発明の一実施例に係る飲食容器保持具を示す平面図である。（実施例１）
【図２】図１の飲食容器保持具のII-II線縦断面図である。
【図３】図２の差し入れ部のIII-III線断面図である。
【図４】図１の飲食容器保持具の斜視図である。
【符号の説明】
【００１９】
２  飲食容器保持具
３  容器保持部
４  差し入れ部
５  差し入れ孔
Ｃ  飲食容器
【図１】
2006055229.tif 000003
【図２】
2006055229.tif 000004
【図３】
2006055229.tif 000005
【図４】
2006055229.tif 000006